(57)【要約】  体液試料（例えば、全血試料）中の検体（グルコース等）の判定において、分析試験ストリップと共に使用する手持ち式試験計測器は、ハウジングと、試験計測器制御回路ブロックと、所定の周波数の電磁場を検知するよう構成されるアンテナを有する電磁干渉検出回路ブロックと、を含む。電磁干渉検出回路ブロックは、アンテナによって検知された電磁場を表す信号を発生させ、その信号を試験計測器制御回路ブロックに提供するように構成される。加えて、試験計測器制御回路ブロックは、電磁干渉検出回路ブロックから受け取った信号が、手持ち式試験計測器の操作に干渉する電磁場を表すとき、手持ち式試験計測器の操作を中断するように構成される。【選択図】図１
2014525035.tif 000002
【特許請求の範囲】
【請求項１】
体液試料中の検体の判定において、分析試験ストリップと共に使用するための手持ち式試験計測器であって、該手持ち式試験計測器は、
ハウジングと、
試験計測器制御回路ブロックと、
所定の周波数の電磁場を感知するよう構成されるアンテナを含む電磁干渉検出回路ブロックと、を備え、
前記電磁干渉検出回路ブロックが、前記アンテナによって検知された電磁場を表す信号を発生させ、前記信号を前記試験計測器制御回路ブロックに提供するように構成され、
前記電磁干渉検出回路ブロックから受信された信号が、手持ち式試験計測器の操作に干渉する所定の電磁場を表すとき、前記試験計測器制御回路ブロックが、手持ち式試験計測器の操作を中断するように構成される、手持ち式試験計測器。
【請求項２】
前記所定の電磁場が、１０Ｖ／ｍを超える場強度を有する電磁場である、請求項１に記載の手持ち式試験計測器。
【請求項３】
前記所定の電磁場が、８００ＭＨｚ〜２２００ＭＨｚの範囲の周波数を有する、請求項１に記載の手持ち式試験計測器。
【請求項４】
前記所定の電磁場が８００ＭＨｚ〜２２００ＭＨｚの範囲の周波数、及び１０Ｖ／ｍを超える場強度を有する、請求項１に記載の手持ち式試験計測器。
【請求項５】
前記所定の電磁場が振幅変調したＲＦ電磁場であり、前記電磁干渉検出回路ブロックから受信される信号が復調信号である、請求項１に記載の手持ち式試験計測器。
【請求項６】
前記所定の電磁場がパルス変調したＲＦ電磁場であり、前記電磁干渉検出回路ブロックから受信される信号が復調信号である、請求項１に記載の手持ち式試験計測器。
【請求項７】
前記試験計測器制御回路ブロックがマイクロコントローラブロックである、請求項１に記載の手持ち式試験計測器。
【請求項８】
ディスプレイと、ディスプレイモジュールブロックと、を更に含み、
前記電磁干渉検出回路ブロックから受信される信号が、手持ち式試験計測器の操作に干渉する所定の電磁場を表すとき、マイクロコントローラブロック、ディスプレイモジュールブロック、及びディスプレイが、ユーザーに警告メッセージを表示するよう構成される、請求項６に記載の手持ち式試験計測器。
【請求項９】
前記電磁場が高周波（ＲＦ）場である、請求項１に記載の手持ち式試験計測器。
【請求項１０】
前記電磁干渉検出回路ブロックが更に、ＧＳＭ（登録商標）式携帯電話によって発生し、前記アンテナによって検知される電磁場を表す２１７Ｈｚの信号を発生させるＡＭ復調器として構成される、請求項１に記載の手持ち式試験計測器。
【請求項１１】
前記手持ち式試験計測器が、電気化学系分析試験ストリップを用いる全血試料中のグルコースの判定のために構成される、請求項１に記載の手持ち式試験計測器。
【請求項１２】
体液試料中の検体の判定のために構成される手持ち式試験計測器を利用するための方法であって、
所定の周波数の電磁場を感知するよう構成されるアンテナを備える、手持ち式試験計測器の電磁干渉検出回路ブロックを使用して、前記アンテナによって感知される電磁場を表す信号を発生し、前記手持ち式試験計測器の試験計測器制御回路ブロックに前記信号を提供する工程と、
前記電磁干渉検出回路ブロックから試験計測器回路制御ブロックにより受け取られた信号が、手持ち式試験計測器の操作に干渉する所定の電磁場を表すとき、前記手持ち式試験計測器の操作を中断する工程と、を含む、方法。
【請求項１３】
体液試料を電気化学系分析試験ストリップに適用する工程と、
前記手持ち式試験計測器を使用して、前記電気化学系分析試験ストリップの電気化学応答を測定する工程と、
測定された電気化学的応答に基づいて前記検体を判定する工程と、を更に含む、請求項１２に記載の方法。
【請求項１４】
前記体液試料が全血試料であり、前記検体がグルコースである、請求項１３に記載の方法。
【請求項１５】
前記所定の電磁場が、１０Ｖ／ｍを超える場強度を有する電磁場である、請求項１２に記載の方法。
【請求項１６】
前記所定の電磁場が、８００ＭＨｚ〜２２００ＭＨｚの範囲の周波数を有する、請求項１２に記載の方法。
【請求項１７】
前記所定の電磁場が、８００ＭＨｚ〜２２００ＭＨｚの範囲の周波数、及び１０Ｖ／ｍを超える場強度を有する、請求項１２に記載の方法。
【請求項１８】
前記所定の電磁場が、振幅変調したＲＦ電磁場であり、前記電磁干渉検出回路ブロックから受信される前記信号が復調信号である、請求項１２に記載の方法。
【請求項１９】
前記所定の電磁場が、パルス変調したＲＦ電磁場であり、前記電磁干渉検出回路ブロックから受信される前記信号が復調信号である、請求項１２に記載の方法。
【請求項２０】
前記試験計測器制御回路ブロックがマイクロコントローラブロックである、請求項１２に記載の方法。
【請求項２１】
前記中断する工程が、前記手持ち式試験計測器のディスプレイに電磁干渉警告メッセージを表示することによって、前記手持ち式試験計測器の操作を中断することを含む、請求項１２に記載の方法。
【請求項２２】
前記電磁場が高周波（ＲＦ）場である、請求項１２に記載の方法。
【請求項２３】
前記電磁干渉検出回路ブロックが更に、ＧＳＭ（登録商標）式携帯電話によって発生し、前記アンテナによって検知される電磁場を表す２１７Ｈｚの信号を発生するＡＭ復調器として構成される、請求項１２に記載の方法。
【発明の詳細な説明】
【技術分野】
【０００１】
本発明は、広くは、医療デバイスに関し、具体的には、試験計測器及び関連方法に関する。
【背景技術】
【０００２】
液体試料中の検体の判定（例えば、検出及び／又は濃度測定）は医療分野において特に関心が寄せられている。例えば、尿、血液、血漿、若しくは間質液等の体液試料中のグルコース、ケトン体、コレステロール、リポタンパク質類、トリグリセリド類、アセトアミノフェン、及び／又はＨｂＡ１ｃ凝縮類を判定することが望まれ得る。そのような判定は、手持ち式試験計測器を分析試験ストリップ（例えば、電気化学系分析試験ストリップ）と組み合わせて使用して達成することができる。
【図面の簡単な説明】
【０００３】
本発明の新規特徴は、特に添付の特許請求の範囲に記載される。本発明の特徴及び利点は、次の、本発明の原理が利用される例示的な実施形態を記載する以下の発明を実施するための形態、並びに同様の数表示が同様の要素を示す添付の図面を参照することによって、より理解されるであろう。
【図１】本発明の実施形態による、手持ち式試験計測器の簡略化平面図である。
【図２】図１の手持ち式試験計測器の様々な電気回路ブロックの簡略化ブロック図である。
【図３】従来の手持ち式試験計測器によって顕著な電磁干渉がない状態で測定された、電気化学的応答の簡略化グラフである。
【図４】従来の手持ち式試験計測器によって顕著な電磁干渉がある状態で測定された、電気化学的応答の簡略化グラフである。
【図５】本発明の実施形態による手持ち式試験計測器で使用できるように、マイクロコントローラブロックと機能的に通信する電磁干渉検出回路の簡略化電気接続及びブロック図である。
【図６】本発明の実施形態による手持ち式試験計測器で使用できるように、マイクロコントローラブロックと機能的に通信する別の電磁干渉検出回路の簡略化電気接続及びブロック図である。
【図７】本発明の実施形態による、手持ち式試験計測器を採用するための方法における段階を描写する、フローチャートである。
【発明を実施するための形態】
【０００４】
以下の詳細な説明は、図面を参照しつつ読まれるべきもので、異なる図面中、同様の要素は同様の参照符号にて示してある。図面は、必ずしも実寸ではなく、あくまで説明を目的とした例示的な実施形態を図示したものであり、本発明の範囲を限定することを目的とするものではない。詳細な説明は本発明の原理を限定するものではなく、あくまでも例として説明するものである。この説明文は、当業者による発明の製造及び使用を明確に可能ならしめるものであり、出願時における発明を実施するための最良の形態と考えられるものを含む、発明の複数の実施形態、適応例、変形例、代替例、並びに使用例を述べるものである。
【０００５】
本明細書で任意の数値や数値の範囲について用いる「約」又は「およそ」という用語は、構成要素の部分又は構成要素の集合が、本明細書で述べるその所望の目的に沿って機能することを可能とするような適当な寸法の許容誤差を示すものである。
【０００６】
一般に、本発明の実施形態による、体液試料（例えば、全血試料）中の検体（グルコース等）の判定において分析試験ストリップと共に使用する手持ち式試験計測器は、ハウジングと、試験計測器制御回路ブロック（例えば、マイクロコントローラブロック）と、所定の周波数又は周波数範囲の電磁場（例えば、ＧＳＭ（登録商標）式携帯電話及びＤＥＣＴ式コードレス電話で一般に発生するパルス変調したＲＦ場等の高周波［ＲＦ］場）（例えば、周波数範囲８００ＭＨｚ〜２２００ＭＨｚの電磁場）を検知するよう構成されるアンテナを有する電磁干渉検出回路ブロックと、を備える。加えて、電磁干渉検出回路ブロックは、アンテナによって検知された電磁場を表す信号（例えば、復調信号）を発生させ、その信号を試験計測器制御回路ブロックに提供するように構成される。更に、試験計測器制御回路ブロックは、電磁干渉検出回路ブロックから受け取った信号が、手持ち式試験計測器の操作に干渉する所定の電磁場を表すとき、手持ち式試験計測器の操作を中断するように構成される。
【０００７】
本発明の実施形態による手持ち式試験計測器は、手持ち式試験計測器の操作にマイナスに干渉する所定の電磁場が検出されると、試験計測器の操作を中断できる（例えば、手持ち式試験計測器のユーザーに対する警告メッセージの表示によって停止及び／又は変更できる）という点で有利である。例えば、手持ち式試験計測器内の電気回路ブロック（例えば、アナログ・デジタル変換回路ブロック等）は、外部の電磁場の存在によって、ひどく雑音の多い信号を発生する恐れがある。このような雑音の多い信号に基づいた検体測定の精度は、このような電磁場で発生する雑音を含まない信号に基づいた検体測定と比較して、低下する場合がある。しかしながら、本発明の実施形態による手持ち式試験計測器は、手持ち式試験計測器の操作に干渉し得る電磁場を検出し、その後、その操作を適切に中断することによって、このような精度低下が起こる可能性を回避する。
【０００８】
場合によっては、手持ち式試験計測器の正確な操作に干渉し得る電磁場源として可能性があるものは、近くにある動作中の携帯電話によって発生する電磁場である。例えば、動作中の携帯電話のアンテナ表面のすぐ横の電磁場強度は、１００Ｖ／ｍを超えることがある。このような強度の電磁場は、例えば、全血試料中グルコース測定用手持ち式試験計測器等の手持ち式試験計測器の正確な操作に干渉する恐れがある。しかしながら、本発明の実施形態による手持ち式試験計測器は、電磁場を感知し、手持ち式試験計測器の操作に干渉する電磁場が検出されると、手持ち式試験計測器の操作を中断するよう構成される回路ブロックを備える。
【０００９】
図１は、本発明の実施形態による電磁干渉検出回路（電磁干渉検出回路ブロックとも称する）を有する手持ち式試験計測器１００の簡略化平面図である。図２は、手持ち式試験計測器１００の様々なブロックの簡略化ブロック図である。図３は、従来の手持ち式試験計測器によって顕著な電磁干渉がない状態で測定された、電気化学的応答の簡略化グラフである。図４は、従来の手持ち式試験計測器によって顕著な電磁干渉がある状態で測定された、電気化学的応答の簡略化グラフである。図５は、マイクロコントローラブロックと機能的に通信する手持ち式試験計測器１００の電磁干渉検出回路、及び手持ち式試験計測器１００の簡略化電気接続及びブロック図である。
【００１０】
いったん当業者が本開示を鑑定すれば、当業者は、本発明による手持ち式試験計測器として容易に修正することができる手持ち式試験計測器の例が、ＬｉｆｅＳｃａｎ，Ｉｎｃ．（Ｍｉｌｐｉｔａｓ，Ｃａｌｉｆｏｒｎｉａ）から市販されているＯｎｅＴｏｕｃｈ（登録商標）Ｕｌｔｒａ（登録商標）２グルコース計測器であるということを認識するであろう。同様に修正することができる手持ち式試験計測器の追加例は、米国特許出願公開第２００７／００８４７３４号（２００７年４月１９日公開）及び同第２００７／００８７３９７号（２００７年４月１９日公開）、並びに国際公開第２０１０／０４９６６９号（２０１０年５月６日公開）に見られ、これらのそれぞれは、参照によって全体が本明細書に組み込まれる。
【００１１】
手持ち式試験計測器１００は、ディスプレイ１０２と、複数個のユーザーインターフェースボタン１０４と、ストリップポートコネクタ１０６と、ＵＳＢインターフェース１０８と、ハウジング１１０とを含む（図１を参照）。具体的には図２及び５を参照すると、手持ち式試験計測器１００はまた、電磁干渉検出回路ブロック１１２と、試験計測器制御回路ブロック１１４（マイクロコントローラブロックの形式）と、通信ポートブロック１１６と、ディスプレイ制御ブロック１１８と、メモリブロック１２０と、試験電圧を分析試験ストリップ（図示せず）に印加するため、また、電気化学的応答（例えば、複数個の試験電流値）を測定し、電気化学的応答に基づき、検体を判定するための他の電子的構成要素（図示せず）と、を備える。現在の説明を簡略化するために、図面は、そのような電子回路すべてを描写しない。
【００１２】
ディスプレイ１０２は、例えば、画面画像を示すように構成される液晶ディスプレイ又は双安定ディスプレイであってもよい。画面画像の例としては、グルコース濃度、日時、エラーメッセージ、電磁干渉検出警告メッセージ、及び試験の実施方法をエンドユーザーに指示するユーザーインターフェースを挙げてもよい。
【００１３】
ストリップポートコネクタ１０６は、全血試料中のグルコースの判定のために構成される電気化学系分析試験ストリップ等の分析試験ストリップ（図面中には描写されていない）と動作可能に連動するように構成される。したがって、分析試験ストリップは、ストリップポートコネクタ１０６への動作可能挿入のために構成される。分析試験ストリップは、ＬｉｆｅＳｃａｎ，Ｉｎｃ．（Ｍｉｌｐｉｔａｓ，Ｃａｌｉｆｏｒｎｉａ）から市販されるＯｎｅＴｏｕｃｈ（登録商標）Ｕｌｔｒａ（登録商標）グルコース試験ストリップ等の電気化学系分析試験ストリップを含む、任意の好適な分析試験ストリップであってもよい。分析試験ストリップの例は、米国特許第５，７０８，２４７号、同第５，９５１，８３６号、同第６，２４１，８６２号、同第６，２８４，１２５号、同第６，４１３，４１０号、同第６，７３３，６５５号、同第７，１１２，２６５号、同第７，２４１，２６５号、及び同第７，２５０，１０５号に見ることができ、これらのそれぞれは、参照によって全体が本明細書に組み込まれる。
【００１４】
ＵＳＢインターフェース１０８は、当業者に既知の任意の好適なインターフェースであってもよい。ＵＳＢインターフェース１０８は、本質的に、電力を供給し、手持ち式試験計測器１００の通信ポートブロック１１６へデータラインを提供するように構成される、受動構成要素である。
【００１５】
いったん分析試験ストリップが手持ち式試験計測器１００と連動されると、又はその前に、体液試料（例えば、全血試料）が分析試験ストリップの試料受容チャンバに投与される。分析試験ストリップは、検体を別の所定の化学形態に選択的かつ定量的に転換させる、酵素試薬を含むことができる。例えば、分析試験ストリップは、グルコースを酸化型に物理的に転換させることができるように、フェリシアン化物及びグルコースオキシダーゼを伴う酵素試薬を含むことができる。
【００１６】
手持ち式試験計測器１００のメモリブロック１２０は、分析試験ストリップの電気化学的応答に基づき、検体を判定する、好適なアルゴリズムを含む。
【００１７】
図３は、従来の手持ち式試験計測器によって顕著な電磁干渉がない状態で測定された、電気化学的応答の簡略化グラフであり、ｘ軸の単位は１０ｍｓずつ増加する時間であり、ｙ軸の単位はマイクロアンペアである。注目すべきは、図３の電気的応答が顕著な電気的雑音を呈していないことである。対照的に、図４は、従来の手持ち式試験計測器によって、手持ち式試験計測器による電気化学的応答の測定に干渉する電磁場（手持ち式試験計測器のすぐ横にある動作中のＧＳＭ（登録商標）式携帯電話から発せられる）がある状態で測定された電気化学的応答の簡略化グラフであり、ここでもｘ軸の単位は１０ｍｓずつ増加する時間であり、同じくｙ軸の単位はマイクロアンペアである。注目すべきは、図４の電気化学的応答が電磁場を受けて顕著な電気的雑音を呈していることである。この雑音は、図３と図４の応答の比較から明らかである。
【００１８】
電磁干渉検出回路ブロック１１２は、所定の周波数の電磁場（例えば、８００ＭＨｚ〜２２００ＭＨｚの範囲の周波数を有する高周波（ＲＦ）電磁場）を感知するよう構成されるアンテナ（以下で説明する図５のアンテナ１２２及び図６のアンテナ１２２’を参照）を含む。更に、電磁干渉検出回路ブロック１１２は、アンテナによって検知された振幅変調した電磁場を表す信号を発生させ、その信号を試験計測器制御回路ブロック１１４に提供するように構成される。
【００１９】
試験計測器制御回路ブロック１１４は、電磁干渉検出回路ブロックから受け取った信号が、手持ち式試験計測器の操作に干渉する所定の電磁場を表すとき、手持ち式試験計測器の操作を中断するように構成される。かかる所定の電磁場は、例えば、１０Ｖ／ｍを超える場強度、かつ８００ＭＨｚ〜２２００ＭＨｚの範囲の周波数を有する、電磁振幅変調した（ＡＭ）又はパルス変調した電磁場であってもよい。試験計測器制御回路ブロック１１４は、当業者には既知の、例えば、マイクロコントローラブロック等の任意の好適な試験計測器制御回路ブロックであってもよい。
【００２０】
図５を参照すると、電磁干渉検出回路ブロック１１２がより詳細に説明される。電磁干渉検出回路ブロック１１２は、アンテナ１２２と、第１コンデンサ１２４と、ダイオード１２６と、第２コンデンサ１２８と、１０，０００オームのレジスタ１３０と、を含む。電磁干渉検出回路ブロック１１２は、ＧＳＭ（登録商標）式携帯電話又はＤＥＣＴ式変調コードレス電話が発生させるもの等の振幅変調又はパルス変調した電磁場の検出に特に有利なように構成される。
【００２１】
アンテナ１２２は、例えば、手持ち式試験計測器のプリント回路基板（図中には示されていない）にエッチングされた直径１０ｍｍかつ約１２ｎＨのループアンテナ等の、当業者に既知の任意の好適なアンテナであってもよい。２．７ｐＦの第１コンデンサ１２４及びアンテナ１２２の組み合わせは、８００ＭＨｚ〜２２００ＭＨｚの範囲の、ＧＳＭ（登録商標）式／ＵＭＴＳ式携帯電話による電磁周波帯域を感知するように構成される。ダイオード１２６及び第２コンデンサ１２８は、ＧＳＭ（登録商標）式携帯電話によって生じる電磁信号の存在下に電磁干渉検出回路ブロック１１２があるとき、１／８のデューティサイクルの２１７Ｈｚのパルス信号を発するＡＭ復調器として機能するように構成される。２１７Ｈｚの信号（マイクロコントローラブロック１１４のアナログ入力又はデジタル入力（図中には示されていない）のいずれかに伝達される）の振幅は、電磁場強度に依存する。
【００２２】
図５の実施形態では、ダイオード１２６は、Ａｖａｇｏ  Ｔｅｃｈｎｏｌｏｇｉｅｓ（Ｓａｎ  Ｊｏｓｅ，Ｃａｌｉｆｏｒｎｉａ，ＵＳＡ）の部品ＨＳＭＳ−２８６として市販されるダイオードであり、１０，０００オームのレジスタ１３０は、コンデンサ１２８の放電抵抗として構成される。
【００２３】
電磁干渉検出回路ブロック１１２は、アンテナ１２２が受信した振幅変調場を本質的に復調し、振幅変調レベルを乗じたＲＦ場強度に比例する復調出力電圧（すなわち、復調信号）をもたらす。例えば、ＧＳＭ（登録商標）式携帯電話では、振幅変調レベルは２１７Ｈｚ間隔で１００％（すなわち、ＲＦが完全にオン又は完全にオフのいずれか）である。
【００２４】
図６は、本発明の実施形態による手持ち式試験計測器で使用できるように、マイクロコントローラブロック１１４と機能的に通信する別の電磁干渉検出回路ブロック１１２’の簡略化電気接続及びブロック図である。図５について類似する要素は、図６では要素番号にプライム記号（’）を付けて示す。
【００２５】
電磁干渉検出回路ブロック１１２は、アンテナ１２２’と、第１のコンデンサ１２４’と、ダイオード１２６’と、第２のレジスタ１２７と、第２のコンデンサ１２８’と、第１のレジスタ１３０’と、ツェナーダイオード１３２と、を含む。電磁干渉検出回路ブロック１１２’は、ＧＳＭ（登録商標）式携帯電話によって発生するようなＡＭ変調電磁場を検出するように構成される。図６の実施形態では、ダイオード１２６’は、Ａｖａｇｏ  Ｔｅｃｈｎｏｌｏｇｉｅｓ（Ｓａｎ  Ｊｏｓｅ，Ｃａｌｉｆｏｒｎｉａ，ＵＳＡ）の部品ＨＳＭＳ−２８６として市販されるダイオードである。
【００２６】
電磁干渉検出回路ブロック１１２’は、電磁干渉検出回路ブロック１１２と同様に機能する。しかしながら、第２レジスタ１２７の値は、手持ち式試験計測器の操作に干渉することが知られている特定の種類及び強度（例えば、１０Ｖ／ｍを超える場強度）の電磁場に対する電磁干渉検出回路ブロックの感度に合わせて選択してもよい。レジスタ１２７はレジスタ１３０’と共に分圧器を形成する。レジスタ１２７の抵抗値が上がると、電磁干渉検出回路ブロック１１２’の電磁場に対する感度が低下する。レジスタ１２７の、典型的ではあるが非限定的な抵抗値は２００，０００オームである。
【００２７】
ツェナーダイオード１３２は、電磁干渉検出回路ブロック１１２’の高圧信号による過負荷からマイクロコントローラブロック１１４を保護するように構成され、例えば、３．０Ｖの供給電圧で動作するマイクロコントローラブロック用２．７Ｖツェナーダイオード等の任意の好適なツェナーダイオードであってもよい。
【００２８】
図５及び６の実施形態では、電磁干渉検出回路ブロック及びマイクロコントローラブロックは、例えば、約１０Ｖ／ｍを超える電磁場によって手持ち式試験計測器の操作が中断されるように構成されてもよい。
【００２９】
いったん本開示を知ると、当業者は、図５及び６に示される電磁干渉検出回路ブロックは説明目的のみのものであり、本発明の実施形態で使用される電磁干渉検出回路ブロックが、図５及び６とは細部が異なる形状を取り得ることを認識するであろう。
【００３０】
図７は、体液試料（例えば、全血試料）中の検体（グルコース等）の判定のために構成される、手持ち式試験計測器を使用するための方法７００における段階を描写する、フローチャートである。方法７００は、所定の周波数の電磁場を感知するよう構成されるアンテナを備える手持ち式試験計測器の電磁干渉検出回路を使用して、（ｉ）アンテナによって感知される電磁場を表す信号を発生し、（ｉｉ）手持ち式試験計測器の試験計測器制御回路ブロックにその信号を提供する工程を含む。図７の工程７１０を参照されたい。
【００３１】
また方法７００は、電磁干渉検出ブロックの試験計測器回路制御ブロックが受け取った信号が、手持ち式試験計測器の操作に干渉する所定の電磁場を表すとき、手持ち式試験計測器の操作を中断する工程も含む（図７の工程７２０参照）。例えば、電磁場が所定の周波数（例えば、８００ＭＨｚ〜２２００ＭＨｚの範囲の周波数、及び／又は例えば、約１０Ｖ／ｍを超える電磁場強度）であるとき、手持ち式試験計測器の操作を中断できる。
【００３２】
このような中断には、例えば、手持ち式試験計測器のディスプレイを介して、ユーザーに電磁干渉警告メッセージを表示することも含んでもよい。そのようなケースでは、手持ち式試験計測器の電磁干渉検出回路及び試験計測器制御回路ブロック、並びにディスプレイ制御ブロックは、かかる警告メッセージの表示を制御するよう構成される。
【００３３】
本発明の実施形態による方法は、望ましい場合には、（ｉ）電気化学系分析試験ストリップに体液試料を適用する工程と、（ｉｉ）手持ち式試験計測器を使用して、電気化学系分析試験ストリップの電気化学的応答を測定する工程と、更に（ｉｉｉ）測定された電気化学的応答に基づき、検体を判定する工程と、を含むこともできる。更に、いったん本開示を知ると、当業者は、本発明の実施形態による、及び本明細書に記載される、手持ち式試験計測器の任意の技法、利点及び特性を組み込むように、方法７００を容易に修正できることを認識するであろう。
【００３４】
以上、本発明の好ましい実施形態を示し、説明したが、このような実施形態は、あくまで一例として与えられたものである点は当業者には明らかであろう。当業者であれば、本発明から逸脱することなく、多くの変形、変更、及び置換が想到されるであろう。本発明を実施するうえで本明細書で述べた実施形態には、様々な代替例が用いられ得る点は理解されるべきである。以下の「特許請求の範囲」は、本発明の範囲を定義するとともに特許請求の範囲に含まれる装置及び方法、並びにそれらの均等物をこれによって網羅することを目的としたものである。
【図１】
2014525035.tif 000003
【図２】
2014525035.tif 000004
【図３】
2014525035.tif 000005
【図４】
2014525035.tif 000006
【図５】
2014525035.tif 000007
【図６】
2014525035.tif 000008
【図７】
2014525035.tif 000009
【国際調査報告】
2014525035.tif 000010
2014525035.tif 000011